(57)【要約】【課題】余分な接着剤が筐体の表面に回りこんでしまうのを抑制することのできる携帯端末装置を得る。【解決手段】赤外線センサ（光学センサ）４と、赤外線センサ（光学センサ）４と対向して形成される開口穴５を有し、赤外線センサ（光学センサ）４を収容する筐体１０と、筐体１０の開口穴５を塞ぐ透光性のカバー部材６と、を備える。そして、カバー部材６は、開口穴５に嵌合する本体部６ａと、本体部６ａから突設されて開口穴５の赤外線センサ（光学センサ）４側の周縁部に係止されるフランジ部６ｂと、を備える。【選択図】図２
2014057240.tif 000002
【特許請求の範囲】
【請求項１】
光学センサと、前記光学センサと対向して形成される開口穴を有し、前記光学センサを収容する筐体と、前記筐体の開口穴を塞ぐ透光性のカバー部材と、を備え、
前記カバー部材は、前記開口穴に嵌合する本体部と、前記本体部から突設されて前記開口穴の前記光学センサ側の周縁部に係止されるフランジ部と、を備えることを特徴とする携帯端末装置。
【請求項２】
前記開口穴の前記光学センサと反対側の端部と前記カバー部材の本体部との間に隙間を設けたことを特徴とする請求項１に記載の携帯端末装置。
【請求項３】
前記開口穴の前記光学センサと反対側の端部が、前記光学センサの視野角の外側に位置することを特徴とする請求項１または請求項２に記載の携帯端末装置。
【請求項４】
前記カバー部材は、前記開口穴の前記光学センサと反対側の端部を保護するひだ部を備えることを特徴とする請求項１〜３のうち何れか１項に記載の携帯端末装置。
【発明の詳細な説明】
【技術分野】
【０００１】
本発明は、例えば携帯電話機やタブレットＰＣ等の携帯端末装置に関する。
【背景技術】
【０００２】
従来より、光学センサと、光学センサと対向して形成される開口穴を有し、光学センサを収容する筐体と、筐体の開口穴を塞ぐ透光性のカバー部材と、を備えた携帯端末装置が知られている（例えば、特許文献１参照）。
【先行技術文献】
【特許文献】
【０００３】
【特許文献１】特開２０１０−８２８９号公報
【発明の概要】
【発明が解決しようとする課題】
【０００４】
しかしながら、上記従来技術にあっては、円柱状のカバー部材を筐体の開口穴に嵌め込む構成となっている。そのため、単にカバー部材を開口穴に嵌合させるだけでは接合強度が低いため、仮に接着剤を用いてカバー部材を開口穴に接合した場合に、余分な接着剤が筐体の表面に回りこんでしまう可能性があった。
【０００５】
このように、余分な接着剤が筐体の表面に回りこんでしまうと、携帯端末装置の外観性が劣化して商品価値を低下させてしまう虞がある。
【０００６】
そこで、本発明は、余分な接着剤が筐体の表面に回りこんでしまうのを抑制することのできる携帯端末装置を得ることを目的とする。
【課題を解決するための手段】
【０００７】
上記目的を達成するために、本発明の第１の特徴は、光学センサと、前記光学センサと対向して形成される開口穴を有し、前記光学センサを収容する筐体と、前記筐体の開口穴を塞ぐ透光性のカバー部材と、を備え、前記カバー部材は、前記開口穴に嵌合する本体部と、前記本体部から突設されて前記開口穴の前記光学センサ側の周縁部に係止されるフランジ部と、を備えることを要旨とする。
【０００８】
本発明の第２の特徴は、前記開口穴の前記光学センサと反対側の端部と前記カバー部材の本体部との間に隙間を設けたことを要旨とする。
【０００９】
本発明の第３の特徴は、前記開口穴の前記光学センサと反対側の端部が、前記光学センサの視野角の外側に位置することを要旨とする。
【００１０】
本発明の第４の特徴は、前記カバー部材は、前記開口穴の前記光学センサと反対側の端部を保護するひだ部を備えることを要旨とする。
【発明の効果】
【００１１】
本発明によれば、カバー部材が、開口穴に嵌合する本体部とその本体部から突設されて開口穴の光学センサ側の周縁部に係止されるフランジ部とを備えるので、フランジ部を筐体との接着に使用することができる。したがって、余分な接着剤が筐体の表面に回りこんでしまうのを抑制することができ、携帯端末装置の外観性が劣化してしまうを抑制することができる。
【図面の簡単な説明】
【００１２】
【図１】本発明の第１実施形態にかかる携帯端末装置の平面図である。
【図２】図１のＡ−Ａ線断面図である。
【図３】本発明の第２実施形態にかかる携帯端末装置のカバー部材を示した図であって、（ａ）は平面図、（ｂ）は側面図である。
【図４】本発明の第３実施形態にかかる携帯端末装置の図１のＡ−Ａ線と同位置の断面図である。
【発明を実施するための形態】
【００１３】
以下、本発明の実施形態について図面を参照しつつ詳細に説明する。なお、以下では、携帯端末装置として携帯電話機を例示する。また、以下の複数の実施形態には、同様の構成要素が含まれている。よって、以下では、それら同様の構成要素には共通の符号を付与するとともに、重複する説明を省略する。
【００１４】
[第１実施形態]
図１および図２は、本発明の第１実施形態にかかる携帯電話機（携帯端末装置）１を示した図である。本実施形態の携帯電話機１は、指先や専用のペン等で画面を触れることで操作を行える所謂スマートフォンと呼ばれるものであり、光学センサとして赤外線センサ４を用いることで赤外線を受光できるように構成されている。
【００１５】
携帯電話機１は、図２に示すように、赤外線センサ（光学センサ）４と、赤外線センサ４と対向して形成される開口穴５を有し、赤外線センサ４を収容する筐体１０と、筐体１０の開口穴５を塞ぐ透光性のカバー部材６と、を備えている。
【００１６】
筐体１０は、本実施形態では、一端側が開放された箱形のベース２と、そのベース２の開放された一端側を塞ぐように取り付けられるガラスパネル３とにより構成されている。そして、これらベース２とガラスパネル３とを接合した際に形成される内部空間に、赤外線センサ４や図示せぬ回路基板などが配置される。ガラスパネル３の表面側（赤外線センサ４と面する側とは反対側の面）には、複数の操作ボタン８や上述した画面としてのディスプレイ部７等が形成されている。
【００１７】
カバー部材６は、本実施形態では、ポリエチレンなどの赤外線透過材料により形成されている。これにより、開口穴５に向けて照射された赤外線をカバー部材６で透過させて赤外線センサ４が赤外線を受光できるようになっている。
【００１８】
ここで、本実施形態のカバー部材６は、開口穴５に嵌合する本体部６ａと、その本体部６ａから突設されて開口穴５の赤外線センサ４側の周縁部に係止されるフランジ部６ｂと、を備えている。
【００１９】
本実施形態では、図１に示すように、本体部６ａが円形の開口穴５に嵌合する円柱状に形成されているとともに、フランジ部６ｂが本体部６ａからその本体部６ａの全周に亘って径方向外側に張り出している。
【００２０】
また、図２に示すように、本実施形態では、本体部６ａと開口穴５の赤外線センサ４と反対側の端部５ａとの間に隙間９が形成されており、本体部６ａの肉厚が開口穴５の深さよりも薄くなっている。
【００２１】
このとき、開口穴５の赤外線センサ４と反対側の端部５ａが、赤外線センサ４の視野角ａ（図４参照）の外側に位置するのが好適である。こうすれば、開口穴５の大きさとして赤外線センサ４の視野角ａの妨げとならない大きさを確保することができ、赤外線センサ４の感度が低下してしまうのを抑制することができる。
【００２２】
このような構成の本実施形態にあっては、筐体１０のベース２側に図示せぬ回路基板を取付固定するとともに、その回路基板上に赤外線センサ４を実装しておく。一方、筐体１０のガラスパネル３側にカバー部材６を取り付けておく。すなわち、ガラスパネル３の裏面側（赤外線センサ４と面する側）から開口穴５に本体部６ａを嵌合するとともに、フランジ部６ｂを接着剤によって開口穴５の周縁部に接着する。そして、このような赤外線センサ４が取り付けられたベース２と、カバー部材６が取り付けられたガラスパネル３とを接合することにより携帯電話機１が形成されることになる。
【００２３】
以上、説明したように、本実施形態によれば、カバー部材６が、開口穴５に嵌合する本体部６ａと、その本体部６ａから突設されて開口穴５の赤外線センサ（光学センサ）４側の周縁部に係止されるフランジ部６ｂと、を備えている。そのため、フランジ部６ｂを筐体１０との接着に使用することができ、余分な接着剤が筐体１０（ガラスパネル３）の表面に回りこんでしまうのを抑制することができ、携帯電話機（携帯端末装置）１の外観性が劣化してしまうを抑制することができる。また、カバー部材６の本体部６ａを開口穴５に嵌合させることに加えて、カバー部材６のフランジ部６ｂを筐体１０に接着することができるため、これらカバー部材６と筐体１０との接合強度を高めることができる。
【００２４】
さらに、本実施形態では、開口穴５の赤外線センサ（光学センサ）４と反対側の端部５ａとカバー部材６の本体部６ａとの間に隙間９を設けている。そのため、本体部６ａの肉厚を薄くして赤外線をカバー部材６に透過させ易くすることができ、赤外線センサ４の感度が低下してしまうのを抑制することができる。
【００２５】
さらにまた、本実施形態では、開口穴５の赤外線センサ４と反対側の端部５ａが、赤外線センサ４の視野角ａの外側に位置している。そのため、開口穴５の大きさとして赤外線センサ４の視野角ａの妨げとならない大きさを確保することができ、赤外線センサ４の感度が低下してしまうのをより一層抑制することができる。
【００２６】
[第２実施形態]
図３（ａ）、（ｂ）は、本発明の第２実施形態にかかる携帯電話機（携帯端末装置）１に用いられるカバー部材６Ａを示した図である。
【００２７】
本実施形態のカバー部材６Ａが、上記第１実施形態のカバー部材６と主に異なる点は、本体部６ａの肉厚を開口穴５の深さと同じにしたことにある。
【００２８】
すなわち、本実施形態では、開口穴５の赤外線センサ（光学センサ）４と反対側の端部５ａ（図２参照）とカバー部材６Ａの本体部６ａとの間に隙間９を設けないようにした点が、上記第１実施形態と異なっている。
【００２９】
以上の本実施形態によっても、上記第１実施形態と同様の作用、効果を奏することができる。
【００３０】
また、本実施形態では、本体部６ａの肉厚を開口穴５の深さと同じにしたので、本体部６ａを開口穴５に嵌合させた際に、これら本体部６ａと開口穴５の接触面積を増やして接合強度を高めることができるという利点がある。
【００３１】
なお、本実施形態の場合には、図３（ｂ）に示すように、カバー部材６の本体部６ａの直径ｂを赤外線センサ（光学センサ）４の視野角ａよりも大きくとるのが好適である。こうすれば、赤外線センサ４の視野角ａの妨げとならない大きさを確保することができ、赤外線センサ４の感度が低下してしまうのを抑制することができる。
【００３２】
[第３実施形態]
図４は、本発明の第３実施形態にかかる携帯電話機（携帯端末装置）１のカバー部材６Ｂを示した図である。
【００３３】
本実施形態のカバー部材６Ｂが、上記第１および第２実施形態のカバー部材６、６Ａと主に異なる点は、開口穴５の赤外線センサ（光学センサ）４と反対側の端部５ａを保護するひだ部６ｃを備えることにある。
【００３４】
ひだ部６ｃは、本体部６ａの周縁部から開口穴５の端部５ａに向けて突出した傾斜面を備えており、本実施形態では、その傾斜面が円柱状の本体部６ａの全周に亘って形成されている。
【００３５】
以上の本実施形態によっても、上記第１および第２実施形態と同様の作用、効果を奏することができる。
【００３６】
また、本実施形態では、カバー部材６Ｂが、開口穴５の赤外線センサ（光学センサ）４と反対側の端部５ａを保護するひだ部６ｃを備えている。そのため、ひだ部６ｃによって開口穴５の端部５ａを保護することができ、筐体１０（ガラスパネル３）の破損を抑制することができる。
【００３７】
さらに、カバー部材６Ｂがひだ部６ｃを備える構成では、隙間９に塵埃などの異物が堆積してしまうのを抑制することができるという利点もある。すなわち、上記第１実施形態のように、カバー部材６がひだ部６ｃを備えない構成では、本体部６ａと開口穴５の内面との間の角部に塵埃などが入り込み、隙間９に異物が堆積し易くなってしまう。その点、本実施形態では、カバー部材６Ｂのひだ部６ｃによってその角部を塞ぐことができるので、例えば開口穴５が下を向くように携帯電話機１を逆さにすることによって、隙間９に堆積してしまった塵埃などの異物を容易に排出させることができる。
【００３８】
なお、本実施形態の場合には、図４に示すように、ひだ部６ｃを赤外線センサ（光学センサ）４の視野角ａの妨げとならない形状とするのが好適である。こうすれば、ひだ部６ｃによって赤外線センサ４の感度が低下してしまうのを抑制することができる。
【００３９】
以上、本発明の好適な実施形態について説明したが、本発明は上記実施形態には限定されず、種々の変形が可能である。
【００４０】
例えば、上記各実施形態では、光学センサとして赤外線センサ４を用いた場合を例示したが、これに限定されず、紫外線センサや可視光センサなどを用いるようにしてもよい。
【００４１】
また、ベース２、ガラスパネル３やカバー部材６、その他細部のスペック（形状、大きさ、レイアウト等）も適宜に変更可能である。
【００４２】
また、上記各実施形態では、本発明を携帯端末装置としての携帯電話機に適用した場合を例示したが、その他の携帯端末装置、例えばタブレットＰＣ等に適用してもよい。
【符号の説明】
【００４３】
１    携帯電話機（携帯端末装置）
４    光学センサ
５    開口穴
５ａ  端部（開口穴の光学センサと反対側の端部）
６    カバー部材
６ａ  本体部
６ｂ  フランジ部
６ｃ  ひだ部
１０  筐体
【図１】
2014057240.tif 000003
【図２】
2014057240.tif 000004
【図３】
2014057240.tif 000005
【図４】
2014057240.tif 000006